(57)【要約】【課題】弁体径を大きくした場合でも弁体がスムーズに作動し、充分な閉弁気密性が得られるようにする。【解決手段】バイパス流路４６を有する弁軸４５が直線運動するよう設けられたガイド４８と、弁体４３を付勢する主スプリング４９と、弁座４２より下流に弁体４３に対向して配されたステッピングモータ５５と、さらに、送りネジ６０と、弁体４３を押動可能な移動体６１と、移動体６１の回転を規制するロッド６４とで構成されている。これによって、弁体４３の質量によるモーメントがステッピングモータ５５に加わらず、ロータ５２はスムーズに回転する。また、弁軸４５とガイド４８とのクリアランスは小さく、弁体４３の傾きを小さくすることができ、充分な閉弁気密性を得ることができる。【選択図】　図１
2004125113.tif 000002
【特許請求の範囲】
【請求項１】
ガス流路内に設けられた弁座と、上流に設けられ前記弁座を閉塞可能な弁体と、この弁体との間にバイパス流路を確保できるように弁体取付孔より細い部分と前記バイパス流路を閉塞できる弁体取付孔より太い部分を設けて弁体に配設された弁軸と、この弁軸が直線運動するよう設けられたガイドと、前記弁体を弁座側に付勢する主スプリングと前記バイパス流路を閉塞する方向に前記弁軸を付勢する副スプリングと、前記弁座より下流に前記弁体に対向して配設された回転駆動機構と、前記回転駆動機構の出力軸に配設された送り手殴と、中心孔が前記送り手段に螺合あるいは係合可能で前記弁体を押動可能な移動体と、この移動体の回転を規制する回転防止手段とを備え遮断弁。
【請求項２】
弁軸の弁体とは逆の端に自己保持型電磁ソレノイドを配設した請求項１記載の遮断弁。
【請求項３】
回転駆動機構がステッピングモータである請求項１記載の遮断弁。
【請求項４】
請求項１、２または３記載の遮断弁を弁座を含むガス流路の一部に一体的に組み込んだ遮断弁ブロック。
【発明の詳細な説明】
【０００１】
【発明の属する技術分野】
本発明は、ガスの事故を未然に防ぐガス遮断用の遮断弁及びこの遮断弁が組み込まれたブロックに関するものである。
【０００２】
【従来の技術】
従来のこの種の遮断弁は、特許文献１記載の遮断弁は図５に示されているように、鍔付きカップ状のケーシング６を有し、このケーシング６の外周にステータ４を装着し、前記ケーシング６を有し、このケーシング６の外周にステータ４を装着し、ケーシング６の開口部に合成樹脂製のアウターブッシュ３を嵌着し、このアウターブッシュ３にスタッド５を一体成形することで偏心させて前方に突設し、ケーシング６内にインナーブッシュ１２を挿設し、アウターブッシュ３およびインナーブッシュ１２にリードスクリュー１７をその先端の雄ネジ部１７ａが当該アウターブッシュ３より前方に突出した状態で正逆方向に回転自在に支持されている。また、このリードスクリュー１７にロータ１６を前記ステータ４に対向する形で取り付け、このロータ１６と前記アウターブッシュ３との間にスラスト荷重用ころがり軸受１８を介挿し、スタッド５に係合し雄ネジ部１７ａに螺合して弁体２５を配されている。弾性シール部材８とアウターブッシュ３とケーシング６は、段付きフランジ２と平板フランジ７とで挟み込まれていて、段付きフランジ２と平板フランジ７とはかしめ部３２でかしめによって固着されている。また、かしめ部３２より外側に弾性シール部材３３が段付きフランジ２と筐体２７とで挟み込まれて、段付きフランジ２と筐体２７との気密を保持している。この遮断弁は通常ガスメーター内にリードスクリュー１７を水平方向とするよう配置されている。
【０００３】
以上のように構成された遮断弁について、以下その動作について説明する。
【０００４】
ガスの異常使用時などには、図示していない制御部からの通電により、ロータ１６を正転させ、リードスクリュー１７が正方向に回転し、スタッド５が弁体２５の回転を拘束することで回転運動を直線運動に変換し、弁体２５がリードスクリュー１７側から弁座２６側に前進して弁座２６に当接することにより、流体経路を閉塞して流体を遮断する。また、これを復元するときには、外部入力によってリードスクリュー１７を逆方向に回転させ、スタッド５が弁体２５の回転を拘束することで回転運動を直線運動に変換し、弁体２５を弁座２６側からリードスクリュー１７側に弁体２５の短がアウターブッシュ３に当接するまで後退させ、流体経路を開放して流体の供給を再開していた。
【０００５】
【特許文献１】
特開平１１−２３５２号公報
【０００６】
【発明が解決しようとする課題】
近年、マイコンメータに搭載した電池による電気エネルギーでガス遮断もガス復帰も可能状態と閉弁状態の保持は工ネルギーを必要としない遮断弁の利便性が認められ、業務用等のより大流量ガスメーターへの搭載が期待されている。
【０００７】
大流量のガスメーターにおいては、大流量が通過した場合の圧力損失を低減するために、弁座口径すなわち弁体の外径と、開弁時における弁体と弁座の距離すなわち弁ストロークを大きく設定することが必要である。
【０００８】
しかしながら、上記の従来の遮断弁では、弁体２５はリードスクリュー１７の雄ネジ部１７ａにのみ保持されており、弁体２５の外径を大きくした場合はその質量による偏心モーメントがこの雄ネジ部１７ａとの係合部に集中するため、ロータ１６の回転を阻害するような大きな摩擦力を発生したり、またスムーズな係合のためにも受けてあるリードスクリュー１７の雄ネ１ジ部１７ａと弁体２５とのクリアランスのため弁体２５が傾き、弁座２６との角度差が大きくなり充分な閉弁気密性を得られなくなったりする可能性を有していた。
【０００９】
本発明はかかる従来の課題に鑑み、大流量に対応するために弁体径を大きくした場合でもロータの回転を阻害することなく、充分な閉弁気密性と省電力で笹動できる遮断弁を提供することを目的とする。
【００１０】
【課題を解決するための手段】
本発明は上記課題を解決するために、ガス流路内に設けられた弁座と、上流に設けられ前記弁座を閉塞可能な弁体と、弁体との間にバイパス流路を確保できるように弁体の取付孔より細い部分とバイパス流路を閉塞できる弁体取付孔より太い部分を設けて弁体に配された弁軸と、この弁軸が直線運動するよう設けられたガイドと、弁体を弁座側に付勢する主スプリングと、バイパス流路を閉塞する方向に弁軸を付勢する副スプリングと、前記弁座より下流に前記弁体に対向して配された回転駆動機構と、前記回転駆動機構の出力軸に配された送り手段と、中心孔が前記送り手投に螺合あるいは係合可能で前記弁体を押動可能な移動体と、この移動体の屈転を規制する回転防止手段とを備えたものである。
【００１１】
上記発明によれば、弁体は弁軸とガイドによって保持されているため、弁体の質量による偏心モーメントが回転駆動機構に加わらず、大流量に対応するために弁体径を大きくした場合でも回転駆動機構の回転を阻害することがないという特徴と、弁軸に対向して設けた回転駆動機構の出力軸の動きでまず弁軸を弁体から押し付けることでバイパス流路が開いて背圧を下げる事により少ないエネルギーで弁体を復帰開弁でき、また、弁軸とガイドとは直線摺動運動を行うだけなので、弁軸とガイドとのクリアランスはリードスクリューなどの送り機構の場合よりも小さくすることがでる。この結果、弁体の傾きを小さくすることができ、大流量に対応するために弁体径を大きくした場合でも充分な閉弁気密性を得ることができる。
【００１２】
【発明の実施の形態】
本発明の遮断弁は、ガス流路内に設けられた弁座と、上流に設けられ弁座を閉塞可能な弁体と、弁体との間にバイパス流路を確保できる様に弁体の取付孔より細い部分とバイパス流路を閉塞できる弁体取付孔より太い部分を設けて弁体に配された弁軸と、この弁軸が直線運動するよう設けられたガイドと、弁体を弁座側に付勢する主スプリングと、バイパス流路を閉塞する方向に弁軸を付勢する副スプリングと、弁座より下流に前記弁体に対向して配された回転駆動機構と、回転駆動機構の出力軸に配された送り手段と、中心孔が前記送り手段に螺合あるいは係合可能で前記弁体を押動可能な移動体と、この移動体の回転を規制する回転防止手段とで構成されたものである。
【００１３】
これによって、弁体は弁軸とガイドによって保持されているため、弁体の質量による偏心モーメントが回転駆動機構に加わらず、大流量に対応するために弁体径を大きくした場合でも回転駆動機構の回転を阻害することがないという特徴を得ることができる。
【００１４】
また、弁軸とガイドとは直線摺動運動を行うだけなので、弁軸とガイドとのクリアランスはリードスクリューなどの送り機構の場合よりも小さくすることができる。この結果、弁体の傾きを小さくすることができ、大流量に対応するために弁体径を大きくした場合でも充分な閉弁気密性を得ることができる。
【００１５】
また、本発明の遮断弁は、上記構成に加えて、弁軸の弁体とは逆の端に自己保持型電磁ソレノイドを配したものである。
【００１６】
これによって、開弁動作のみ回転駆動機構で行い、自己保持型電磁ソレノイドを吸着保持された後は、直転駆動機構側の移動体は閉弁時に弁体に当接しない位置まで後退させ、閉弁動作は自己保持型電磁ソレノイドの吸着を解除しスプリングの付勢力で弁体を移動させてなすことにより、緊急閉弁が必要な場合などでも高速に安定した閉弁動作を行うことができる。
【００１７】
また、本発明の遮断弁は、上記構成に加えて、回転駆動機構がステッピングモータであることを特徴とするものである。
【００１８】
これによって、ステッピングモータの保持トルクによって開弁保持することができるため、単純で安価な遮断弁を提供することができる。
【００１９】
また、本発明の遮断弁ブロックは、弁座を含むガス流路の−部に上記構成の遮断弁を組み込んだものである。
【００２０】
これによって、ガスメーターを製造する場合に流路の一部に遮断弁ブロックを組み込むだけで遮断弁機能を追加することができ、製造上単純であると同時に、遮断弁ブロック単品で機能検査を行うことができるため、安定した品質の遮断弁を提供することができる。
【００２１】
【実施例】
以下、本発明の実施例について図面を用いて説明する。
【００２２】
（実施例１）
図１は本発明の実施例１の遮断弁の閉弁状態の断面図、図２はバイパス流路が開いた状態の断面図、図３は開弁状態の断面図である。
【００２３】
図１、２において、右上の入口４１ａから左下の出口４１ｂヘガスが流れるガス流路４１内に設けられた弁座４２と、上流に設けられ弁座４２を閉塞可能な弁体４３と、弁体取付孔４４より細い部分４５ａと、弁体取付孔より太い部分４５ｂを設けた弁軸４５と、無負荷時この弁軸４５を弁体４３に押し付けておく副スプリング４７と、直線運動するよう設けられたガイド４８と、弁体４３を弁座４２側に付勢する主スプリング４９と、弁座４２より下流に弁体４３に対向して配された回転駆動機構であるステッピングモータ５５と、ステッピングモータ５５の出力軸５９に配された送り手段である送りネジ６０と、中心孔が送りネジ６０に螺合あるいは係合可能で弁体４３を押動可能な移動体６１と、この移動体６１の回転を規制する回転防止手段であるロッド６４とで遮断弁が構成されている。
【００２４】
弁座４２は金属切削品であり、ガス流路４１に接着されている。弁体４３は合成ゴム等の可撓体製である、弁軸４５にスプリング受け５０で取りつけられている。弁軸４５は金属製で、ガイド４８はポリテトラフルオロエチレンのコーティングやメッキなどを処理された板金製、または、ポリアセタール等の合成樹脂製であり、弁軸４５とガイド４８間には直径の１／１００程度の微小な摺動クリアランスが設けられている。このガイド４８はフランジ６７に挿嵌され、フランジ６７はシール部材６６を介してガス通路４１に固定されている。主スプリング４９はステンレス鋼などのコイルスプリングであり、弁体４３とフランジ６５との間に圧縮されて配されている。
【００２５】
回転駆動機構であるステッピングモータ５５は、永久磁石５１を配されたロータ５２と、ロータ５２に対向したステータ５３、ステータ５３に内蔵されたコイル５４より構成されている。ロータ５２とステータ５３との間には、オーステナイト系ステンレス鋼などの非磁性金属製の隔壁５６が配され、フランジ６７との間にシール部材５７を介し、ガスが外部に流出しないようガスシールされている。ロータ５２の出力軌５９は、隔壁５６に固定された軸受け５８とフタ６３とで回動可能に保持されている。送り手段である送りネジ６０は出力軸５９の一端に切削または転造加工されて形成されている。回転防止手段であるロッド６４はフタ６３と一体的に形成されている。移動体６１は中心穴に雌ねじを形成され、外周に係合部６９を設けた合成樹脂製であり、送りネジ６０に螺合すると同時にロッド６４に係合して配されていて、一端にある押動部６２が弁体４３に当接可能であり、開弁時は図１に示したように、押動部６２と弁体４３との間に若干の隙間ができるよう形成されている。移動体６１の材料はポリフェニレンサリフアイド等クリープ変形に対する耐性が高いものが望ましい。また、ガス通路４１の入口４１ａ、出口４１ｂにはガスメーターのガス通路に接続できるようそれぞれフランジ４１ｃ、４１ｄが形成されている。
【００２６】
次にこの実施例１の遮断弁の動作、作用について説明する。図１に示した閉弁状態においては、移動体６１がフタ６３に当接する位置まで後退していて、弁体４３との間には隙間がある。そして、弁体４３は主スプリング４９に付勢されて弁座４２に当接して、ガスが流れない閉弁状態を保持している。弁軸４５とガイド４８間のクリアランスが直径の１／１００程度と微小なため弁体４３の傾きは小さく、さらに主スプリング４９によって均等な押し荷重を受けているため、大流量に対応するために弁体４３の径を大きくした場合でも充分な閉弁気密性を得ることができる。
【００２７】
各種センサーの信号から危険が解除され復帰可能とマイコンメータの制御部が判断した場合や、ガス利用者が危険状態を復旧し、メータやリモートコントロール盤に設けられた復帰スイッチを操作した場合、ガス供給業者などが通信による遠隔復帰命令を発信した場合などには、マイコンメータの制御部（図示せず）はコイル５３に位相差を持ったパルス状電流を印加し、ロータ５２を回転させる。すると送りネジ６０に送られて移動体６１は弁体４３側に移動、当接し、弁体４３は弁座４２から離脱し図２に示した開弁位置まで移動する。この結果、ガスが流通可能になる。
【００２８】
ここで、移動体６１が軽量であり、弁体４３と分離されて構成されていて弁体４３の質量による偏心モーメントが送りネジ６０との係合部に作用しないため、ロータ５２はスムーズな回転運動を行うことができる。そして、大流量に対応するために弁体４３の径を大きくした場合でもステッピングモータ５５の回転を阻害することがないという特徴を持っている。
【００２９】
また、ガスの使用状態が異常でなく、各種センサーからの信号が危険を示していない時、マイコンメータの制御部からの通電はなく、ステッピングモータ５５は保持トルクによってロータ５２が回転しないよう保持されている。このため弁体４３は図３に示した開弁状態を保持し、ガスが流通可能である。ガスの使用状態が異常であるか、各種センサーからの信号が危険を示している時、マイコンメータの制御部はコイル５４に位相差を持ったパルス状電流を印加し、ロータ５２を回転させ、移動体６１はフタ６３の側に後退する。そして、弁体４３は主スプリング４９に付勢されて弁座４２に当接して、図１に示すガスが流れない閉弁状態になる。
【００３０】
この時も、弁軸４５とガイド４８間のクリアランスが微小なため弁体４３の傾きは小さく、ガイド４８とのロックなどがなくスムーズに閉弁位置に移動し、確実な開弁を行うことができる。ガス通路４１を含むこの遮断弁ブロックは、遮断弁製造者によってあらかじめ動作や気密性試験などの性能確認を行っており、ガスメーターのガス通路にこのまま組み込むだけでよく、製造上単純であると同時に、安定した品質の遮断弁を提供することができる。
【００３１】
このように、本発明の実施例１の遮断弁は、ガス流路４１内に設けられた弁座４２と、上流に設けられ弁座４２を閉塞可能な弁体４３と、弁体４３に配された弁軸４５と、この弁軸４５が直線運動するよう設けられたガイド４８と、弁体４３を弁座４２側に付勢する主スプリング４９と、弁座４２より下流に弁体４３に対向して配された回転駆動機構であるステッピングモータ５５と、ステッピングモータ５５の出力軸５９に配された送り手殴である送りネジ６０と、中心孔が送りネジ６０に螺合あるいは係合可能で弁体４３を押動可能な移動体６１と、この移動体６１の回転を規制する回転防止手投であるロッド６４とで遮断弁を構成しており、弁体４３は弁軸４５とガイド４８によって保持されているため、弁体４３の質量による偏心モーメントが回転駆動機構であるステッピングモータ５５に加わらず、大流量に対応するために弁体４３の径を大きくした場合でも回転駆動機構のロータ５２の回転を阻害することがないという特徴を得ることができる。
【００３２】
そして、弁軸４５とガイド４８とは直線摺動運動を行うだけなので、弁軸４５とガイド４８とのクリアランスはリードスクリューなどの送り機構の場合よりも小さくすることができる。この結果、弁体４３の傾きを小さくすることができ、大流量に対応するために弁体４３径を大きくした場合でも充分な閉弁気密性を得ることができる。
【００３３】
また、回転駆動機横がステッピングモータ５５であり、ステッピングモータ５５の保持トルクによって開弁保持することができるため、単純で安価な遮断弁を提供することができる。また、遮断弁ブロックは、弁座４２を含むガス流路４１の一部に上記構成の遮断弁を組み込んだものであるため、ガスメーターを製造する場合に流路の一部に遮断弁ブロックを組み込むだけで遮断弁機能を追加することができ、製造上単純であると同時に、遮断弁ブロック単品で機能検査を行うことができるため、安定した品質の遮断弁を提供することができる。
【００３４】
なお、弁座４２はガス流路４１に接着されているとしたがガス流路４１の一部に機械加工を施したものでもよく、ガイド４８はフランジ６４の一部に加工されたものでもよく、表面処理は弁軸４５側でもよい。押動部６２は移動体６１と別部品でもよく、送り手段は送りネジ６０でなくカム機構でもよい。
【００３５】
また、回転駆動機構はステッピングモータ５５であるとしたが、ギヤドモータなど保持トルクの強い回転駆動機構であればよい。ただし、経済性を考えるとステッピングモータが望ましい。
【００３６】
（実施例２）
図４は本発明の実施例２の遮断弁の開弁状態の断面図である。実施例１と異なる点は、弁軸７１の弁体４３とは逆の端に自己保持型電磁ソレノイド７８を配した点である。図において、弁軸７１の外側にガイド７２を配し、その外側にコイル７５を配し、弁軸７１の端と当接可能に固定鉄芯７４を配し、永久磁石７３とヨーク７６、７７と弁軸７１とで磁気回路を構成し、自己保持型電磁ソレノイド７８を形成している。弁軸７１は電磁ステンレス鋼などの磁性材料製である。ガイド７２はオーステナイト系ステンレス網などの非磁性金属製である。自己保持型電磁ソレノイド７８はシール部材６６を介してフランジ８１でガス通路４１に固定されている。ガイド７２とフランジ８１間、ガイド７２と固定鉄芯７４間にはそれぞれシール部材７９、８０が配され、ガスが外部に流出しないようガスシールされている。なお、実施例１と同一符号のものは同一構造を有し、説明は省略する。
【００３７】
次にこの実施例２の遮断弁の動作、作用について説明する。図４に示した開弁状態においては、自己保持型電磁ソレノイド７８、ステッピングモータ５５の双方に電機信号は印加されていない。弁軸７１は固定鉄芯７４に当接し永久磁石７３の磁束によって吸着保持されており、弁体４３は弁座４２から離れた開弁状態が保持されている。移動体６１はフタ６３に当接する位置まで後退していて、閉弁位置における弁体４３との間に隙間が出きるようになっている。
【００３８】
ガスの使用状態が異常であるか、各種センサーからの信号が危険を示している時、マイコンメータの制御部は自己保持型電磁ソレノイド７８のコイル７５に永久磁石７３の磁束とは逆方向の起磁力を発生させるようパルス状電流を印加する。この結果、弁軸７１と固定鉄芯７４との吸着力が滅少し、主スプリング４９に付勢され弁軸７１は固定鉄芯７４から離脱し、弁体４３は弁座４２側に移動し当接し、ガス通路４１を閉じる。
【００３９】
このとき、印加されるパルス状電流は５０ｍｓ程度の矩形波でよく、短時間に閉弁動作が完了するので、緊急閉弁が必要な場合などでも高速に安定した閉弁動作を行うことができる。閉弁状態においては、移動体６１がフタ６３に当接する位置まで後退していて、弁体４３との間には隙間がある。そして、弁体４３は主スプリング４９に付勢されて弁座４２に当接して、ガスが流れない閉弁状態を保持している。
【００４０】
各種センサーの信号から危険が解除され復帰可能とマイコンメータの制御部が判断した場合や、ガス利用者が危険状態を復旧し、メータやリモートコントロール盤に設けられた復帰スイッチを操作した場合、ガス供給業者などが通信による遠隔復帰命令を発信した場合などには、マイコンメータの制御部はステッピングモータ５５のコイル５３に位相差を持ったパルス状電流を印加し、ロータ５２を回転させる。すると送りネジ６０に送られて移動体６１は弁体４３側に移動、当接し、弁体４３は弁座４２から離脱し、弁軸７１が固定鉄芯７４に当接する位置まで移動する。そして弁軸７１は永久磁石７３による磁束に吸引され、固定鉄芯７４に吸着保持される。そして、ガスが流通可能になる。
【００４１】
この後、マイコンメータの制御部はステッピングモータ５５のコイル５３に逆位相差を持ったパルス状電流を印加し、ロータ５２を逆回転させる。すると送りネジ６０に送られて移動体６１は弁体４３から離れる側に移動し、フタ６３に当接する位置まで後退して停止する。そして、図３に示した開弁状態となる。
【００４２】
このように、本発明の実施例２の遮断弁は、弁軸７１の弁体４３とは逆の端に自己保持型電磁ソレノイド７８を配したため、短時間に閉弁動作が完了するので、緊急閉弁が必要な場合などでも高速に安定した閉弁動作を行うことができる。また、大流量に対応するために弁体４３の径を大きくした場合でも、弁体４３による備心モーメントをガイド７２で支えられ、主スプリング４９の荷重を適切に設定するだけで充分な閉弁気密性を得ることができる。
【００４３】
なお、図３において、永久磁石７３は固定鉄芯７４とヨーク７６との間にあるよう図示したが、ヨーク７６とヨーク７７との間に配してもよく、また、弁軸７１は可動鉄芯として機能するよう説明したが、可動鉄芯は別部品で弁軸と嵌合されていてもよい。
【００４４】
【発明の効果】
以上のように本発明によれば次の効果が得られる。
【００４５】
弁体は弁軸とガイドによって保持されているため、弁体の質量による偏心モーメントが回転駆動機構に加わらず、大流量に対応するために弁体径を大きくした場合でも回転駆動機構の回転を阻害することがないという特徴と、弁軸に対向して設けた回転駆動機構の出力軸の動きでまず弁軸を弁体から押し付けることでバイパス流路が開いて背圧を下げる事により少ないエネルギーで弁体を復帰開弁できるとともに、また、弁軸とガイドとは直線摺動運動を行うだけなので、弁軸とガイドとのクリアランスはリードスクリューなどの送り機構の場合よりも小さくすることができる。この結果、弁体の傾きを小さくすることができ、大流量に対応するために弁体径を大きくした場合でも充分な閉弁気密性を得ることができる。
【００４６】
また、本発明の遮断弁は、上記構成に知えて、弁軸の弁体とは逆の端に自己保持型電磁ソレノイドを配設したことにより、開弁動作のみ回転駆動機構で行い、自己保持型電磁ソレノイドを吸着保持された後は、回転駆動機構側の移動体は閉弁時に弁体に当接しない位置まで後退させ、閉弁動作は自己保持型電磁ソレノイドの吸着を解除しスプリングの付勢力で弁体を移動させてなすことにより、緊急閉弁が必要な場合などでも高速に安定した閉弁動作を行うことができる。
【００４７】
また、ステッピングモータの保持トルクによって開弁保持することができるため、単純で安価な遮断弁を提供することができる。
【００４８】
また、ガスメーターを製造する場合に流路の一部に遮断弁ブロックを組み込むだけで遮断弁機能を追加することができ、製造工程が単純になると同時に、遮断弁ブロック単品で機能検査を行うことができるため、安定した品質の遮断弁を提供することができる。
【図面の簡単な説明】
【図１】本発明の実施例１の遮断弁の閉弁状態の断面図
【図２】同遮断弁のバイパス部開弁状態の断面図
【図３】同遮断弁の開弁状態の断面図
【図４】本発明の実施例２の遮断弁の開弁状態の断面図
【図５】従来の遮断弁の開弁状態の断面図
【符号の説明】
４１　ガス通路弁座弁体
４２　弁座
４３　弁体
４５、７１　弁軸
４８、７２　ガイド
４９　主スプリング
５５　ステッピングモータ（回転駆動機構）
５９　出力軸
６０　送りネジ（送り手段）
６１　移動体
６４　ロッド（回転防止手段）
７８　自己保持型電磁ソレノイド
【図１】
2004125113.tif 000003
【図２】
2004125113.tif 000004
【図３】
2004125113.tif 000005
【図４】
2004125113.tif 000006
【図５】
2004125113.tif 000007